(57)【要約】【課題】多様な移動操作をなし得る水上ボートを提案する。【解決手段】オペレータがハンドル１４を往復回動操作したときハンドル軸１３の往復回動動作に応じてひれ部材２１をひれ動作させるようにしたことにより、船体２をオペレータのハンドル操作に応じた方向及び速度で移動させることができ、これによりオペレータの操船興味を失なわせないようにしながら体力の増強効果が得られるような水上ボート１を実現できる。【選択図】図１
2009096214.tif 000002
【特許請求の範囲】
【請求項１】
船体の艇内に設けられ、オペレータによって往復回動操作されるハンドルを有するハンドル操作機構部と、
上記艇内の床板を貫通するように設けられ、上記ハンドル操作機構部のハンドル軸の往復回動動作に基づいて、往復回動動作する回転軸と、
上記回転軸に取り付けられ、上記回転軸の往復回動動作に応じてひれ動作をするひれ部材と
を具えることを特徴とする水上ボート。
【請求項２】
上記ハンドル操作機構部は、オペレータによって往復回動操作されるハンドルと、
上記艇内の床板に設置された軸受筐体に回動自在に設けられ、上記ハンドルと一体に往復回動動作するハンドル軸と
を有し、上記ハンドル軸の往復回動動作を上記回転軸に伝達することにより、上記ハンドルに対するオペレータの往復回動動作に応動して上記回転軸に取り付けられた上記ひれ部材をひれ動作させることにより推進力を発生させる
ことを特徴とする請求項１に記載の水上ボート。
【請求項３】
上記ハンドル軸の往復回動動作を伝達手段を介して上記回動軸に伝達する
ことを特徴とする請求項１に記載の水上ボート。
【請求項４】
上記ハンドル軸を上記回転軸に直接連結する
ことを特徴とする請求項１に記載の水上ボート。
【発明の詳細な説明】
【技術分野】
【０００１】
本発明は水上ボートに関し、特に人が腕部又は脚部を使って船体を移動させることができるようにしたものである。
【背景技術】
【０００２】
従来、船体を移動させる推進手段として魚のひれのようなひれ部材を有し、人の力によって操作ロッドを操作することによりひれ部材を駆動して船体を推進させるものが提案されている（特許文献１参照）。
【特許文献１】特開平６−４８３８３号公報
【発明の開示】
【発明が解決しようとする課題】
【０００３】
ひれ部材は、水中で魚のひれのような横方向への振れ動作（これをひれ動作と呼ぶ）をさせれば、水中における推進力を発生するので、これを水上ボートの推進力発生源に応用すると共に、水上ボートに乗船したオペレータが操船することによって水上ボートを任意の方向に任意の速度で移動できるように構成することが考えられる。
【０００４】
このようにオペレータによってひれ部材を駆動するように構成した水上ボートは、これをオペレータの創意工夫によって好きな方向に好きな速度で船体を移動させることができれば、オペレータが水上ボートを操船することに興味を持たせながらオペレータの体力増強訓練などに適合した水上ボートを実現できると考えられる。
【０００５】
本発明は以上の点を考慮してなされたもので、ひれ部材をオペレータの腕力又は脚力によって駆動することにより任意の方向にしかも任意の速度で船体を移動させることができるようにした水上ボートを提案しようとするものである。
【課題を解決するための手段】
【０００６】
かかる課題を解決するため本発明においては、船体２の艇内３に設けられ、オペレータによって往復回動操作されるハンドル１４を有するハンドル操作機構部４と、艇内３の床板１１を貫通するように設けられ、ハンドル操作機構部４のハンドル軸１３の往復回動動作に基づいて、往復回動動作する回転軸１７と、回転軸１７に取り付けられ、回転軸１７の回動動作に応じてひれ動作をするひれ部材２１とを設ける。
【発明の効果】
【０００７】
本発明によれば、オペレータがハンドルを往復回動操作したときハンドル軸の往復回動動作に応じてひれ部材をひれ動作させるようにしたことにより、船体をオペレータのハンドル操作に応じた方向及び速度で移動させることができ、これによりオペレータの操船興味を失なわせないようにしながら体力の増強効果が得られるような水上ボートを実現できる。
【発明を実施するための最良の形態】
【０００８】
以下図面について、本発明の一実施の形態を詳述する。
【０００９】
（１）第１の実施の形態
図１において、１は全体として水上ボートを示し、船体２の艇内３のほぼ中央（艇身のほぼ中央）位置にハンドル操作機構部４が設けられている。
【００１０】
ハンドル操作機構部４は艇内３の床板１１に固定設置された軸受筐体１２から垂直上方にハンドル軸１３が突出し、その上部先端部にハンドル１４が着脱自在に取り付けられている。
【００１１】
ハンドル１４はハンドル軸１３に装着された中央円板部材１４Ａの外周面から放射状に四方に４本の連結杆部材１４Ｂを突出させ、その突出端に円環部材１４Ｃを連結した構成を有し、これによりハンドル操作機構部４の後側に設けられた座席１５に座ったオペレータがハンドル１４の円環部材１４Ｃを両手で握って回動操作できるように構成されている。
【００１２】
この実施の形態の場合、座席１５が配設されている艇内３の後部位置に、床板１１を上下方向に貫通する軸受１６が設けられ、この軸受１６によって上下方向に床板１１を貫通する回転軸１７が軸支されている。
【００１３】
回転軸１７の艇内３に突出する上方端部には歯車１８が固着されており、この歯車１８と、軸受筐体１２内においてハンドル軸１３の下端部に固着された歯車１９との間に連結チェーン２０が装架され、これによりハンドル１４の回動動作が歯車１９、連結チェーン２０及び歯車１８を介して回転軸１７に伝達するように構成されている。
【００１４】
回転軸１７の床板１１から下方に突出する下方突出端には、ひれ部材２１の一端に設けられた取付孔部２１Ａが嵌着固定されており、これによりひれ部材２１の先端側に形成されたひれ動作部２１Ｂが回転軸１７の回転と一体に水平方向に回動動作する。
【００１５】
ひれ部材２１は可撓性を有する合成樹脂材料を板状に成形した構成を有し、その板厚は根元側の取付孔部２１Ａから先端側のひれ動作部２１Ｂ側に行くに従って次第に薄くなると共に、上下方向の幅が根元側から先端側に行くに従って取付孔２１Ａの近傍ではほぼ同一幅であるのに対して、先端側のひれ動作部２１Ｂに行くに従って幅が大きくなるような形状に構成されている。
【００１６】
かくしてひれ部材２１は水中において往復回動動作をしたとき、水の抵抗と相まってひれ動作部２１Ｂが魚のひれのようなひれ動作をすることにより、ひれ動作部２１Ｂ側から取付孔部２１Ａの方向に向かって推進力を発生する。
【００１７】
この実施の形態の場合、ハンドル１４の円環部材１２Ｃの上面には、所定の角間隔を保って複数例えば８個の円柱状のすべり止め用突起２５が上方に突出するように設けられ、これによりオペレータが当該すべり止め用突起２５を手掛かりとして（指で握ったり、引っ掛けたりするようにして）、ハンドル１４を往復回動操作できるようになされている。
【００１８】
これに加えて、ハンドル１４の中央円板部材１４Ａの上表面にはひれ部材２１の回動方向を表す方向指示マーク２５が表示されており、これによりオペレータがひれ部材２１の回動角位置を知ることができるようになされている。
【００１９】
以上の構成において、図２に示すように、水面３０に浮かんだ水上ボート１の船内３に乗ったオペレータ３１が、座席１５に座って両脚部によってハンドル操作機構部４を間に挟むように両足を艇内３の前方部に投げ出した状態で、両手の掌によってハンドル１４の左右両側部を把持して、すべり止め用突起を必要に応じて利用しながら、ハンドル１４を順次交互に上方から見て時計方向又は反時計方向に往復回動操作する。
【００２０】
このときハンドル１４の往復回動動作は軸受筐体１２内の歯車１９から連結チェーン２０を介して歯車１８に伝達されることにより、ひれ部材２１が回転軸１７を中心として順次交互に時計方向又は反時計方向に往復回動動作する。
【００２１】
ひれ部材２１はオペレータ３１がハンドル１４を往復回動操作した方向、回動量、回動速度に対応した回動方向、回動量及び回動速度で回動動作し、これによりひれ部材２１はオペレータ３１が思う方向に、思う速度で、船体２従って水上ボート１を移動させることができる。
【００２２】
この状態において、オペレータ３１は、ハンドル１４を、時計方向又は反時計方向に例えば±３０〔°〕程度の範囲で回動操作をすれば、ひれ部材２１は水面３０内の水中において効率的に水を掴むことができるので、水上ボート１に大きい推進力を与えることができる。
【００２３】
また、オペレータ３１が回動速度を大きくすれば、ひれ部材２１は水中で速くかつ強くひれ動作をすることにより、船体２に対する推進力は大きくなる。
【００２４】
これに対してオペレータ３１がハンドル１４をゆっくりと回動操作すれば、水中のひれ部材２１がゆっくりとした速度でかつ柔らかい強さでひれ動作することにより、船体２はゆっくりと移動することになる。
【００２５】
この船体２の移動操船動作は、方向指示マーク２６を船体２の前方方向に向くようにハンドル１４を設定してこれを中心に時計方向又は反時計方向に往復回動操作すれば、ひれ部材２１が船体２の前方方向を中心としてひれ動作をすることにより、船体２は図３に示すように前進する。
【００２６】
これに対して方向指示マーク２６を船体２の前方方向より左側（又は右側）に向けた角度を中心として往復回動操作をすれば、船体２は図４に示すように、右方向（又は左方向）に旋回するように移動する。
【００２７】
また、方向指示マーク２６を左（又は右）横方向に設定してオペレータ３１がこれを中心に往復回動操作をすれば、船体２は図５に示すように、その場で回転をする。
【００２８】
このような図４の旋回移動又は図５のその場の回転移動をするのは、ひれ部材２１のひれ動作起点（すなわち回転軸１７の回転位置）が船体２の重心位置より後方位置に設定されているからで、これにより図４の場合はひれ部材２１が船体２を左（又は右）斜め前方方向に推進力を発生するために水上ボート１は右（又は左）旋回することになり、これに対して図５の場合はひれ部材２１が船体２の後方位置において船体２に右（又は左）横方向の推進力を与えることにより船体２は重心位置を中心としてその場で回転することになる。
【００２９】
これに対して、オペレータ３１が方向指示マーク２６を船体２の後方に向く位置に設定して往復回動操作をすると、ひれ部材２１は図６に示すように、船体２の後方に推進力を与える状態になるので船体２は後ろ方向に移動することにより後進する。
【００３０】
以上の構成によれば、オペレータ２１はハンドル１４を順次交互に時計方向又は反時計方向に往復回動操作させるだけの単純な操作をするだけで、自分の思う方向に思う速度で水上ボート１を移動させることができる。
【００３１】
かくして図３ないし図６に示すうよに、船体２を前進ないし後進動作させるときに、オペレータ３１は両手で把持したハンドルを順次交互に時計方向又は反時計方向に往復回動操作するといった単純な作業をするだけですむ。
【００３２】
従って、オペレータ３１が、体に障害がある人、又は高齢者、又は幼い子供であっても、水上ボート１を好きな方向及び好きな速度で移動させることができることにより、例え長い間ハンドル１４を操作し続けても、水上ボート１を移動させることについての興味を失うことなく続けることができるので、ハンドル１４を回動動作させる腕部を中心とする体の鍛練ないしリハビリに利用することができる。
【００３３】
（２）第２の実施の形態
図７は第２の実施の形態を示すもので、図２との対応部分に同一符号を付して示すように、図２の場合はハンドル操作機構部４を艇内３のほぼ中央位置に設けることにより、座席１５に座ったオペレータ３１の両脚間にハンドル１４を設けることによりオペレータ３１がハンドル１４を両手で往復回動操作できるようにしたが、これに代え、図７の場合は、ハンドル操作機構部４を艇内３の前方部分の床板１１に近い位置に移すことにより、オペレータ３１が両足先でハンドル１４を回動操作できるようになされている。
【００３４】
図７の構成において、オペレータ３１は足先にあるハンドル１４を、すべり止め用突起２５を手掛りにしながら、操作することにより、足先によって図３ないし図６によって上述した同様にして水上ボート１を前進、旋回、回転又は後進操作することができる。
【００３５】
図７の構成によれば、オペレータ３１は足先のハンドル操作によって水上ボート１を移動させることができることにより、両手を自由に使えることになる。
【００３６】
かくして図７の水上ボート１によれば、オペレータ３１は足先の操作によって水上ボート１を移動させることにより、水上ボート１を移動させるために常に両足を用いることになるので、オペレータ３１の両足の鍛練やリハビリに水上ボート１を用いることができる。
【００３７】
これに加えて、図７の構成によれば、オペレータ３１は水上ボート１の移動操作をするために両手を使用する必要がないことにより、例えば１つのプール内に複数の水上ボート１を浮かばせて、オペレータ３１が両手を使ってハンドボールのボールを扱うことにより、ハンドボールゲームを行うような用い方をすることもできる。
【００３８】
（３）他の実施の形態
（３−１）上述の実施の形態の場合、図８（Ａ）に示すように、１つの船体２の艇内３の中央部に１つのハンドル操作機構部４を設けると共に、艇内３の後部位置にひれ部材２１を連結チェーン２０によって連結することによりハンドル１４の往復回動操作によって当該１つのひれ部材２１のハンドル操作と同じ方向にひれ部材２１を操作する場合について述べたが、図８（Ａ）との対応部分に同一符号付して図８（Ｂ）に示すように、艇内３の前部にもひれ部材２１と同様の構成のひれ部材２１Ｘを設け、これを連結チェーン２０及び歯車１８を介してひれ部材２１を動作させたと同じように、連結チェーン２０Ｘ及び歯車１８Ｘを介してひれ部材２１Ｘをひれ部材２１と同じような方向及び速度で駆動するようにしても良い。
【００３９】
図８（Ｂ）のように構成すれば、水上ボート１が２つのひれ部材２１及び２１Ｘが共通のハンドル１４によって同じような方向及び速度で往復回動動作をすることにより、当該２つのひれ部材２１及び２１Ｘが発生する推進力をベクトル合成した推進力で水上ボート１を移動させることができる。
【００４０】
（３−２）また図８（Ｃ）は図８（Ｂ）の場合の変形例で、図８（Ｂ）との対応部分に同一符号を付して示すように、図８（Ｂ）の連結チェーン２０Ｘを、ハンドル１４の往復回動力を歯車１９から歯車１８Ｘに伝達する連結チェーン２０Ｙを歯車２１Ｘをひねることにより歯車１９とは逆方向に回動させるような構成を用いている。
【００４１】
図８（Ｃ）のように構成にすれば、ハンドル１４の往復回動操作に応じて、船体２の前方向部及び後方向部において互いに逆方向にひれ動作をさせるような水上ボート１を得ることができる。
【００４２】
従って図８（Ｃ）の場合は、当該逆動作するひれ部材２１及び２１Ｘによって生ずる推進力のベクトル合成によって、船体２を一段と複雑な動き方をさせることができるような水上ボート１を実現できる。
【００４３】
（３−３）図９（Ａ）はさらに他の実施の形態を示すもので、図８（Ａ）との対応部分に同一符号を付して示すように、ハンドル操作機構部４として、図８（Ａ）のハンドル操作機構部４のハンドル軸１３に対してひれ部材２１の回転軸１７を直接結合した構成のものを艇内３の後部に設ける。
【００４４】
これと共に、当該後部に設けたハンドル操作機構部４及び直接結合した回転軸１７を有するひれ部材２１と同様の構成のハンドル操作機構部４Ｋ及びそのハンドル軸１３Ｋに直接結合した回転軸１７Ｋを有するひれ部材２１Ｋを艇内３の前部に設ける。
【００４５】
これに加えて後部のハンドル操作機構部４の歯車１９と前部に設けたハンドル操作機構部４Ｋの歯車１９Ｋ間を、両者を同じ方向に回転させる連結チェーン２０Ｋによって連結する。
【００４６】
図９（Ａ）において、後部のハンドル操作機構部４のハンドル１４と、前部のハンドル機構部４Ｋのハンドル１４Ｋは連結チェーン２０Ｋによって連結されているので、後部のハンドル１４を往復回動操作することによりひれ部材２１をひれ動作させると同じ方向に、前部のハンドル１４Ｋを往復回動操作すれば、ひれ部材２１Ｋはひれ部材２１と同じ方向にひれ動作をする。
【００４７】
かくして図９（Ａ）の構成によれば、２つのハンドル１４及び１４Ｋを艇内３に乗った２人のオペレータによってそれぞれ往復回動操作をさせることにより、当該２人のオペレータの共同作業によって水上ボート１を移動させることができるような一段と多機能な水上ボート１を実現できる。
【００４８】
（３−４）図９（Ｂ）はさらに他の実施の形態を示すもので、図９（Ａ）との対応部分に同一符号を付して示すように、後部のハンドル操作機構部４の歯車１９と前部のハンドル操作機構部４Ｋの歯車１９Ｋとを互いに逆方向に回動動作させるような連結チェーン２１ＫＸを用いる。
【００４９】
図９（Ｂ）の構成によれば、１つの艇内３に後部のハンドル１４及び前部のハンドル１４Ｋを操作する２人のオペレータを艇内３に乗せて、ハンドル１４及び１４Ｋを互いに逆方向に操作することによってひれ部材２１及び２１Ｋを互いに逆方向にひれ動作させるように動作させ、これにより２人のオペレータが一段と複雑な共同作業をすることにより移動させることができような一段と多機能な水上ボート１を実現できる。
【００５０】
（３−５）図１０は更に他の実施の形態を示すもので、図８（Ａ）との対応部分に同一符号を付して示すように、艇内３の右側縁部にハンドル１４のハンドル軸１３とひれ部材２１の回転軸１７とを直接結合した構成のハンドル操作機構部４を設けと共に、左側縁部に当該右側縁部に設けたハンドル操作機構４と同様の構成  のハンドル操作機構部４Ｌを設け、これにより艇内３に乗った１人のオペレータが右側ハンドル操作機構部４と左側ハンドル操作機構部４Ｌとを右手及び左手でそれぞれ操作することにより、そのベクトル合成した推進方向及び推進力によって水上ボート１を移動させることできる。
【００５１】
かくして図１０の構成によれば、一段と複雑な操船によって多機能な移動動作をさせることができるような水上ボートを得ることができる。
【００５２】
（３−６）図１１はさらに他の実施の形態を示すもので、この場合の水上ボート１は、２台の船体２Ｅ１及び２Ｅ２を２つ並べるように締結部材３６Ｅ１及び３６Ｅ２によって一体に締結してなる。
【００５３】
各船体２Ｅ１及び２Ｅ２には図８（Ａ）との対応部分に対して同一符号に添字を付して示すように、それぞれの船体２Ｅ１及び２Ｅ２に対して図８（Ａ）のハンドル操作機構部４と同様の構成のハンドル操作機構部４Ｅ１及び４Ｅ２を設ける。
【００５４】
ハンドル操作機構部４Ｅ１及び４Ｅ２は、それぞれ図８（Ａ）のハンドル１４、ハンドル軸１３及び歯車１９と同様のハンドル１４Ｅ１及び１４Ｅ２、ハンドル軸１３Ｅ１及び１３Ｅ２、並びに歯車１９Ｅ１及び１９Ｅ２を有し、歯車１９Ｅ１及び１９Ｅ２が連結チェーン３７によって互いに同じ方向に回転するように連結されている。
【００５５】
２つの船体２Ｅ１及び２Ｅ２間には、連結チェーン３７を前後に挟む位置に図８（Ａ）のひれ部材２１、回転軸１７及び歯車１８と同様のひれ部材２１Ｅ１及び２１Ｅ２、回転軸１７Ｅ１及び１７Ｅ２並びに歯車１８Ｅ１及び１８Ｅ２を有するひれ部材駆動機構が配設され、その歯車１８Ｅ１及び１８Ｅ２が連結チェーン３８によって連結チェーン３７に結合するように設けられた連結歯車３９に連結される。
【００５６】
図１１の構成において、ハンドル１４Ｅ１及び１４Ｅ２は連結チェーン３７によって同一方向に回動するように連結されているので、各船体２Ｅ１及び２Ｅ２に乗ったオペレータが共同してハンドル１４Ｅ１及び１４Ｅ２を往復回動操作することにより連結歯車３７を回動動作させ得る。
【００５７】
この連結歯車３７の回動動作は、歯車３９及び連結チェーン３８を介してひれ部材駆動機構の歯車１８Ｅ１及び１８Ｅ２を同じ方向に回動動作させ、これにより２つのひれ部材２１Ｅ１及び２１Ｅ２がハンドル１４Ｅ１及び１４Ｅ２の往復回動操作に応じて同じように時計方向又は反時計方向に往復回動動作する。
【００５８】
図１１の構成によれば、２つの船体２Ｅ１及び２Ｅ２に乗った２人のオペレータの共同操作によって当該２つの船体２Ｅ１及び２Ｅ２間に設けられたひれ部材２１Ｅ１及び２１Ｅ２がひれ動作することにより、これに応じた方向及び速度で移動できる操船が複雑かつ多機能な水上ボート１を実現できる。
【００５９】
（４）他の実施の形態
図１２はさらに他の実施の形態を示すもので、図１との対応部分に同一符号を付して示すように、図１において、ハンドル１４、ハンドル軸１３を有するハンドル操作機構部４のうちハンドル軸１３の下端に対してひれ部材２１の回転軸１７の上端を直接結合したと同様の構成を有する。
【００６０】
図１２の構成によれば、オペレータがハンドル１４を往復回動操作すれば、ひれ部材２１のひれ動作によって推進力が生ずることにより、図３ないし図６について上述したと同様にして船体２を前進、旋回、回転及び後進動作させるように操船することができる。
【００６１】
（５）他の実施の形態
図１３はさらに他の実施の形態を示すもので、図１２との対応部分に同一符号を付して示すように、船体２の艇内３の後部にハンドル操作機構部４のハンドル軸１３の下端にひれ部材２１の回転軸１７を直接結合することにより、ひれ部材２１による推進力を得る。
【００６２】
これに加えて艇内３の前部に、ハンドル操作機構部４の操作機構と同様に、ハンドル１４Ｆ、ハンドル軸１３Ｆを有するハンドル操作機構部４Ｆのハンドル軸にひれ部材２１の回転軸１７Ｆを直接結合してなる操船機構を設ける。
【００６３】
これらハンドル操作機構部４及び４Ｆは、艇内３に乗った二人のオペレータがそれぞれ往復回動操作することにより、ひれ部材２１及び２１Ｆがオペレータが思った方向及び思った速度で推進力を生ずるので、船体２はそのベクトル合成された方向に移動する。
【００６４】
例えば図１４（Ａ）、（Ｂ）、（Ｄ）、（Ｅ）に示すように、前後のハンドル操作機構部４及び４Ｆがひれ部材２１及び２１Ｆを船体２に対してほぼ同じ方向に向けた状態で往復回動操作をすれば、船体２は前進、斜め前進、後進、斜め後進する。
【００６５】
これに対して図１４（Ｃ）のように、ひれ部材２１及び２１Ｆを互いに反対横方向に推進力を発生させれば、船体２はその場で回転するし、図１４（Ｆ）ように、ひれ部材２１及び２１Ｆによって互いに一致しない斜め方向に推進力を発生させれば、これに応じて船体２は旋回する。
【００６６】
図１３の構成によれば、艇内３に乗った二人のオペレータの操船の仕方によって船体２をいろいろな方向に移動させることができるような多機能な水上ボート１を実現できる。
【００６７】
（６）変形例
（６−１）上述の実施の形態においては、図１について上述した構成のひれ部材２１（図１５（Ａ）に同じ構成のものを示す）を用いた実施の形態について述べたが、ひれ部材２１としてはこれに限らず、図１５（Ｂ）、（Ｃ）及び（Ｄ）の構成のものを用いても良い。
【００６８】
図１５（Ｂ）の場合のひれ部材２１１は、取付孔２１Ａ１部から先端方向に突出する部分の幅は一定幅であるのに対して、その先端部分２１２Ｘの幅は魚の尾びれに似た形状に幅広に膨出している。
【００６９】
図１５（Ｂ）の構成によれば、先端部分に２１１Ｘが幅広に膨出していることにより、有効に水を掴んだひれ動作をするひれ部材２１１を実現できる。
【００７０】
図１５（Ｃ）のひれ部材２１２は、取付孔部２１Ａ２の部分から先端に行くに従って同じ幅をもつが、横方向に波形形状をもっている。
【００７１】
このようにしても、効率の良いひれ動作をするひれ部材２１２を実現できる。
【００７２】
図１５（Ｄ）のひれ部材２１３は、取付孔部２１Ａ３の部分から先端方向に、上及び下板部２１３Ｕ及び２１３Ｄと左及び右板部２１３Ｌ及び２１３Ｄとによって断面矩形の筒状構造を形成している。
【００７３】
上及び下板部２１３Ｌ及び２１３Ｄは取付孔部２１Ａ３から先端方向に行くに従って幅広になって行った後一定幅になる形状を有すると共に、当該幅広になって行った部分の左及び右板部２１３Ｌ及び２１３Ｄに水吸込口２１３ＬＸ及び２１３ＲＸが形成されている。
【００７４】
左及び右板部２１３Ｌ及び２１３Ｒ並びに上及び下板部２１３Ｕ及び２１３Ｄの後端部において、互いに隣接する角部には切り込みＣＴが形成されており、これにより左及び右板部２１３Ｌ及び２１３Ｒの後端部分２１３ＬＹ及び２１３ＲＹがひれ動作をし得るようになされている。
【００７５】
図１５（Ｄ）の構成において、取付孔部２１Ａ３の取付孔に固着された回転軸がハンドル操作機構部のハンドル操作によって往復回動動作したとき、これに応じてひれ部材２１３が全体として取付孔部２１Ａ３を中心として往復回動動作する。
【００７６】
このとき、全体として断面矩形の筒状構造をもっているひれ部材２１３が横方向に回動動作することにより筒状部の内部の水が遠心力によって先端開口から外方に放出され、当該放出された分の水が水吸込口２１３ＬＸ及び２１３ＲＸから筒状部の内部に吸い込まれ、このジェット噴射現象によってひれ部材２１３が取付孔部２１Ａ３の方向に推進力を発生する。
【００７７】
これに加えて、ひれ部材２１３の左及び右板部２１３Ｌ及び２１３Ｒの後端部分２１３ＬＹ及び２１３ＲＹが往復回動動作する際に周囲の水から受ける水圧によってひれ動作をすることにより推進力を発生する。
【００７８】
図１５（Ｄ）の構成によれば、一段と効率良く推進力を発生するひれ部材２１３を実現できる。
【００７９】
（６−２）図１のひれ部材２１は先端に行くに従って厚さを小さくして行くことにより根元部が往復回動動作をしたとき先端部が水の圧力によってはためくようなひれ動作をするが、かかる構成のひれ部材２１に代えて先端に行くに従って厚さがほぼ同一のひれ部材を用いても良い。
【００８０】
その場合には先端に対する推進力が小さくなることにより移動速度も小さくなるが、ハンドル１４を操作するオペレータの訓練又はリハビリ内容によっては、水上ボートの速度を重視するのではなく、オペレータにかかる負荷を大きくしたい場合があり、このような目的に沿ってひれ部材を実現できる。
【産業上の利用可能性】
【００８１】
本発明は、体力増強や、リハビリや、水上ハンドボール及び水上サッカーなどのゲームなどに用いられる水上ボートに適用できる。
【図面の簡単な説明】
【００８２】
【図１】本発明の一実施の形態による水上ボートの全体構成を一部を透視図として示す略線的斜視図である。
【図２】（Ａ）及び（Ｂ）は図１の水上ボートの移動操船操作の説明に供する略線的平面図及び略線的側面図である。
【図３】図２の移動操船操作のうち前進操作を示す略線的平面図である。
【図４】図２の移動操船操作のうち旋回操作を示す略線的平面図である。
【図５】図２の移動操船操作のうち回転操作を示す略線的平面図である。
【図６】図２の移動操船操作のうち後進操作を示す略線的平面図である。
【図７】（Ａ）及び（Ｂ）は本発明による水上ボートの第２の実施の形態を示す略線的平面図及び略線的側面図である。
【図８】（Ａ）、（Ｂ）及び（Ｃ）は本発明による水上ボートの他の実施の形態（１）を示す略線的斜視図である。
【図９】（Ａ）及び（Ｂ）本発明による水上ボートのさらに他の実施の形態（２）を示す略線的斜視図である。
【図１０】本発明による水上ボートのさらに他の実施の形態（３）を示す略線的斜視図である。
【図１１】本発明による水上ボートのさらに他の実施の形態（４）を示す略線的斜視図である。
【図１２】本発明による水上ボートのさらに他の実施の形態（５）を示す略線的斜視図である。
【図１３】本発明による水上ボートのさらに他の実施の形態（６）を示す略線的斜視図である。
【図１４】図１３の水上ボートの操船操作の仕方の説明に供する略線的斜視図である。
【図１５】（Ａ）、（Ｂ）、（Ｃ）及び（Ｄ）はひれ部材の変形例を示す斜視図である。
【符号の説明】
【００８３】
１……水上ボート、２、２Ｅ１、２Ｅ２……船体、３……艇内、４、４Ｋ、４Ｌ、４Ｅ１、４Ｅ２、４Ｆ……ハンドル操作機構部、１１……床板、１２……軸受筐体、１３、１３Ｋ、１３Ｅ１、１３Ｅ２、１３Ｆ……ハンドル軸、１４、１４Ｋ、１４Ｌ、１４Ｅ１、１４Ｅ２、１４Ｆ……ハンドル、１４Ａ……中央円板部材、１４Ｂ……連結杆部材、１４Ｃ……円環部材、１５……座席、１６……軸受、１７、１７Ｋ、１７Ｅ１、７１Ｅ２……回転軸、１８、１８Ｅ１、１８Ｅ２……歯車、１９、１９Ｋ、１９Ｅ１、１９Ｅ２……歯車、２０、２０Ｋ、２０ＫＸ……連結チェーン、２１、２１Ｌ、２１Ｅ１、２１Ｅ２、２１１、２１２、２１３……ひれ部材、２５……すべり止め用突起、２６……方向指示マーク、３０……水面、３１……オペレータ。
【図１】
2009096214.tif 000003
【図２】
2009096214.tif 000004
【図３】
2009096214.tif 000005
【図４】
2009096214.tif 000006
【図５】
2009096214.tif 000007
【図６】
2009096214.tif 000008
【図７】
2009096214.tif 000009
【図８】
2009096214.tif 000010
【図９】
2009096214.tif 000011
【図１０】
2009096214.tif 000012
【図１１】
2009096214.tif 000013
【図１２】
2009096214.tif 000014
【図１３】
2009096214.tif 000015
【図１４】
2009096214.tif 000016
【図１５】
2009096214.tif 000017